(57)【要約】【課題】軽量で、ガスを透過させにくい、換言すれば高い蓄圧性を備えた樹脂製の消火剤貯蔵容器及びその消火剤貯蔵容器を備えた消火器を提供する。【解決手段】本発明の１つの消火剤貯蔵容器１０は、消火器１００用の消火剤貯蔵容器１０であって、開口部を除いて継ぎ目なく顔料を含む樹脂を用いて成形されている。加えて、前述の開口部が閉塞されたときのそのガスの透過量が３．２２×１０−７Ｐａ・ｍ３・ｍｍ／ｃｍ２・ｓ・ＭＰａ以下である。【選択図】図１
2010221006.tif 000002
【特許請求の範囲】
【請求項１】
消火器用の消火剤貯蔵容器であって、
開口部を除いて継ぎ目なく顔料を含む樹脂を用いて成形され、かつ
前記開口部が閉塞されたときの前記ガスの透過量が３．２２×１０−７Ｐａ・ｍ３・ｍｍ／ｃｍ２・ｓ・ＭＰａ以下である
消火剤貯蔵容器。
【請求項２】
前記ガスの透過量が３．０８×１０−７Ｐａ・ｍ３・ｍｍ／ｃｍ２・ｓ・ＭＰａ以下である
請求項１に記載の消火剤貯蔵容器。
【請求項３】
前記顔料がペリノン系レッドである
請求項１又は請求項２に記載の消火剤貯蔵容器。
【請求項４】
前記樹脂がポリエチレンナフタレートである
請求項１乃至請求項３のいずれかに記載の消火剤貯蔵容器。
【請求項５】
前記ガスが、窒素又は窒素を含むガスである
請求項１乃至請求項４のいずれかに記載の消火剤貯蔵容器。
【請求項６】
請求項１乃至請求項５のいずれかに記載の消火剤貯蔵用器を備える
消火器。
【発明の詳細な説明】
【技術分野】
【０００１】
本発明は、樹脂製の消火剤貯蔵容器及びその消火剤貯蔵容器を備えた消火器に関するものである。
【背景技術】
【０００２】
従来、消火器に使用される消火剤貯蔵容器は、鉄、ステンレス、アルミニウムなどの金属から製造されている。その中でも鉄製の消火剤貯蔵容器は、頑丈で破損しにくく、製造コストが安価であるため、市場に出される消火器数の約９割に対して鉄が使用されているのが現状である。
【０００３】
他方、樹脂製の消火剤貯蔵容器を備えた消火器の例が開示されている。１つの文献には、樹脂製の消火剤貯蔵容器の弱点であった低い耐圧性能であっても保持されるように、充填圧力が可能なかぎり低下された消火器が開示されている（特許文献１）。また、他の１つの文献には、清涼飲料水やアルコール飲料などに用いられる薄肉のポリエチレンテレフタレート（ＰＥＴ）の廃品を利用した消火器が開示されている（特許文献２）。
【先行技術文献】
【特許文献】
【０００４】
【特許文献１】実開昭５６−１６０５６０号公報
【特許文献２】特開平９−３１３６３４号公報
【発明の概要】
【発明が解決しようとする課題】
【０００５】
上述の通り、一般的に広く利用されている鉄製の消火剤貯蔵容器は非常に重いため、特に女性や子供、あるいは年配者にとって、持ち運びの不便さや操作性の悪さの問題を生じさせていた。
【０００６】
鉄に代表される金属であるがための上述の技術的課題は、一見すると、樹脂製の消火剤貯蔵容器を採用することによって解決されるように見える。しかしながら、現実には、一般的に採用されている金属製の消火器のように、耐用年数として数年（例えば、８年）以上が要求される消火剤貯蔵容器を、容器全体としての軽量さを維持しつつ、樹脂のみによって形成することは容易ではない。
【０００７】
加えて、従来の金属製の消火剤貯蔵容器と比較して、一般的に樹脂製のものはガスを透過しやすいため、例えば、常に高い圧力の気体が長期間保持されなければならない蓄圧式消火器の消火剤貯蔵容器を、樹脂を用いて形成することは容易ではない。従って、特に蓄圧式の消火器の消火剤貯蔵容器に要求される蓄圧性は、加圧式の消火器の消火剤貯蔵容器に求められるそれよりも格段に高いものとなる。
【課題を解決するための手段】
【０００８】
本発明は、上述の従来技術の問題点を解消することにより、軽量で、高い蓄圧性を備えるとともに、ガスを透過させにくい消火器の実現に大きく貢献するものである。
【０００９】
発明者は、様々な視点から現存の金属製消火器に代替しうる樹脂製の消火剤貯蔵容器の開発を鋭意行った。その結果、発明者は、樹脂の特性を生かしつつその弱点を補うことができる消火剤貯蔵容器の構成を見出すことに成功し、本発明が完成した。
【００１０】
本発明の１つの消火剤貯蔵容器は、消火器用の消火剤貯蔵容器である。この消火剤貯蔵容器は、開口部を除いて継ぎ目なく顔料を含む樹脂で成形されるとともに、前述の開口部が閉塞されたときの前述のガスの透過量が３．２２×１０−７（Ｐａ・ｍ３・ｍｍ／ｃｍ２・ｓ・ＭＰａ）以下である。
【００１１】
この消火剤貯蔵容器によれば、樹脂を用いて成形されているため、従来から存在する金属製の消火剤貯蔵容器と比べ、格段に軽量化が促進される。また、この消火剤貯蔵容器を使用した消火器の軽量化を実現することにより、火災時において老若男女を問わず誰もが使い易い消火器となり、消火活動がし易い状況を提供することができる。さらに、消火器の軽量化を実現することにより、搬送時において搬送車が排出する二酸化炭素の量を削減することができるため、地球環境の維持保全に大きく貢献し得る。加えて、この消火剤貯蔵容器は、消火剤を放出するのに十分な放出用ガスが充圧されるとともに、その圧力を保持できる。
さらに、この消火剤貯蔵容器によれば、顔料を含む樹脂を用いて成形されているため、内容物である消火剤を適度に視認させうる状態にして美観を高める。加えて、消火器としての重要な性能であるガスバリアー性の向上にも寄与しうる。
【００１２】
また、本発明の１つの消火器は、上述の消火剤貯蔵容器を備えている。
【００１３】
この消火器によれば、上述の消火剤貯蔵容器を備えており、それが樹脂を用いて成形されているため、従来から存在する金属製の消火剤貯蔵容器と比べ、格段に軽量化が促進される。また、この消火剤貯蔵容器を使用した消火器の軽量化を実現することにより、火災時において老若男女を問わず誰もが使い易い消火器となり、消火活動がし易い状況を提供することができる。さらに、消火器の軽量化を実現することにより、搬送時において搬送車が排出する二酸化炭素の量を削減することができるため、地球環境の維持保全に大きく貢献し得る。加えて、この消火剤貯蔵容器は、消火剤を放出するのに十分な放出用ガスが充圧されるとともに、その圧力を保持できる。さらに、この消火器によれば、その消火剤貯蔵容器が顔料を含む樹脂を用いて成形されているため、内容物である消火剤を適度に視認させうる状態にして美観を高める。加えて、消火器としての重要な性能であるガスバリアー性の向上にも寄与しうる。
【発明の効果】
【００１４】
本発明の１つの消火剤貯蔵容器又は消火器は、軽量化が達成されるとともに高い強度を備える。さらに、消火器が設置される場所の周囲の美観を損なわず、かつ高いガスバリアー性を備えている。
【図面の簡単な説明】
【００１５】
【図１】本発明の１つの実施形態における消火器を示す全体外観図である。
【図２】本発明の１つの実施形態における消火剤貯蔵容器の正面図である。
【図３】本発明の１つの実施形態における消火剤貯蔵容器の正面断面図である。
【図４】本発明の１つの実施形態における消火剤貯蔵容器のガス透過量を測定する試験装置を示す概要図である。
【発明を実施するための形態】
【００１６】
本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケールどおりに示されていない。また、各図面を見やすくするために、一部の符号が省略され得る。
【００１７】
＜第１の実施形態＞
図１は、本実施形態の消火器１００の全体外観図である。図２は、消火剤貯蔵容器１０の正面図であり、図３は、消火剤貯蔵容器１０の正面断面図である。なお、図２において、便宜上、消火剤貯蔵容器の部位を説明するための破線と実線が設けられている。また、図３において、便宜上、消火剤貯蔵容器１０の肉厚を示すための矢印と、口部９１の肉厚を表示するために、口部９１の断面形状を延長するための破線が設けられている。
【００１８】
図１に示すように、本実施形態の消火器１００は、消火剤６０（例えば、粉末消火剤）が充填された消火剤貯蔵容器１０と、消火剤貯蔵容器１０の底部と嵌合して消火剤６０を支持する支持台５０と、消火剤貯蔵容器１０の上方に配設される消火器用ハンドレバー３０と、消火剤貯蔵容器１０内に貯蔵される消火剤６０を消火器用ハンドレバー３０に導くためのサイホン管７０と、消火器用ハンドレバー３０を操作することによりサイホン管７０と流通可能に接続される消火剤ホース４０とを備える。
【００１９】
また、消火器用ハンドレバー３０は、蓋体３１、固定レバー３２、起動レバー３３、起倒杆３４、及び安全栓３５を備えている。本実施形態では、安全栓３５が起倒杆３４と係合することにより、起動レバー３３が固定レバー３２に対して回動不可能な状態に固定される。また、安全栓３５が起倒杆３４との係合状態から解放されると、起動レバー３３が固定レバー３２に対して回動可能な状態になる。
【００２０】
加えて、本実施形態における消火剤貯蔵容器１０は、消火剤貯蔵部１１と、消火剤貯蔵部１１の上部に位置する開口部に形成される雄ネジ部１２とで構成される。この雄ネジ部１２と消火器用ハンドレバー３０とが螺合することにより、消火剤貯蔵容器１０と消火器用ハンドレバー３０とが固定される。尚、消火剤貯蔵容器１０と消火器用ハンドレバー３０との固定手段は、螺合に限られず、公知の接合手段が適用され得る。
【００２１】
また、本実施形態の消火器１００は、顔料としてぺリノン系レッドを含有するポリエチレンナフタレート（ＰＥＮ）によって形成された消火剤貯蔵容器１０を備えている。具体的には、本実施形態の消火剤貯蔵容器１０は、マスターバッチ（顔料とＰＥＮとを混合したもの）が混合されたポリエチレンナフタレート（ＰＥＮ）で形成されている。なお、本実施形態では、マスターバッチは、ポリエチレンナフタレート（ＰＥＮ）１００部に対してぺリノン系レッド１．３部の割合で混合することにより形成される。また、ポリエチレンナフタレート（ＰＥＮ）に対し、前述のマスターバッチが５％乃至３０％の割合で混合される。また、本実施形態の消火剤貯蔵容器１０は、図１乃至図３に示すように、開口部を除いて、金属製の消火剤貯蔵容器のような継ぎ目が形成されていない。なお、比較例のために、前述のマスターバッチが全く混合されない消火剤貯蔵容器も作製される。
【００２２】
さらに、本実施形態の消火剤貯蔵容器１０の口部９１の肉厚（Ｔ１）は、２ｍｍ以上５ｍｍ以下であり、曲面を持つ肩部９２の肉厚（Ｔ２）は、１．２ｍｍ以上１２ｍｍ以下である。また、円筒状の胴部９３の肉厚（Ｔ３）は、１．２ｍｍ以上１．７ｍｍ以下であり、曲面を持つ底部９４の肉厚（Ｔ４）は、１．２ｍｍ以上１２ｍｍ以下である。また、本実施形態の消火剤貯蔵容器１０の全光線透過率が約５０％である。
【００２３】
本実施形態の消火剤貯蔵容器１０の全光線透過率は、０％以上９０％以下が好ましく、５％以上７５％以下であることがさらに好ましい。本実施形態の消火剤貯蔵容器１０の全光線透過率が７５％を越えると、収められている消火剤の壁面への付着が消火器の汚れに見えてしまうことにより、消火器１００が設置される場所の周囲の美観を損なうことになる。他方、全光線透過率が５％未満になると、緊急時に消火剤の残量が確認しづらくなるため実用性が劣ることになる。従って、前述の範囲の適度な透明性を維持することが、実用性と外観上の美観とを調和することになる。なお、さらに好ましい消火剤貯蔵容器の全光線透過率は、２０％以上７０％以下である。この範囲であれば、さらに、周囲の美観との調和が取れる。
【００２４】
また、本実施形態の消火剤貯蔵容器１０の胴部９３の肉厚は、０．９ｍｍ以上５ｍｍ以下であることが好ましい。これは、樹脂の厚さが０．９ｍｍよりも薄いと、消火剤の貯蔵容器として求められる強度（例えば、２．６ＭＰａ）を達成できなくなるおそれが高まる一方、５ｍｍよりも厚ければ、経済的に好ましくないとともに内容物たる消火剤を視認し得る透明性の達成が困難になるおそれが高まるためである。上述の観点によれば、胴部９３の肉厚は、０．９ｍｍ以上３ｍｍ以下であることが更に好ましい。
【００２５】
ここで、本実施形態の消火器１００の軽量化を確認すると、従来の鉄製の消火剤貯蔵容器と比べて、全体として重量を約７０％に減少させることができた。消火器としての最軽量化を実現することで、火災時において老若男女を問わず誰もが最も使い易い消火器となり消火活動がし易い状況を提供することができる。
【００２６】
次に、本実施形態の消火剤貯蔵容器１０の製造方法について説明する。マスターバッチ（顔料とポリエチレンナフタレート（ＰＥＮ）とを混合したもの）が混合されたポリエチレンナフタレート製の消火剤貯蔵容器１０は、延伸ブロー成形、溶融整形などの従来公知の樹脂成形方法により製造することができるが、この中でも、開口部を除いて、継ぎ目がなく、成形状態が良好で、かつ適度な肉厚の容器が得られる点で、延伸ブロー成形が好ましい。
【００２７】
本実施形態では、まず、消火剤貯蔵容器１０の材料となるマスターバッチが混合されたポリエチレンナフタレート（ＰＥＮ）を溶融し、射出金型内にその樹脂を射出又は押出することによって肉厚が約１５ｍｍの予備成形品（以下、プリフォームという。）を形成する。次に、胴部９３の円周方向の延伸倍率のスカラー量とその円周方向に垂直な方向の延伸倍率のスカラー量との積が１２倍を超えて延伸された上で、消火剤貯蔵容器１０の側面の肉厚が０．９ｍｍ以上５ｍｍ以下になるように、消火剤貯蔵容器１０が形成される。
【００２８】
上述のとおり、延伸ブローによって消火剤貯蔵容器１０を成形することにより、強度又は耐圧が高められるとともに、透明又は半透明と表される透明性を実現し得る。また、消火剤貯蔵容器を透明又は半透明の樹脂製とすることにより、従来から存在する金属製の消火剤貯蔵容器では不可能とされた消火剤貯蔵容器内部の目視が可能となる。すなわち、消火剤貯蔵容器に貯蔵されている消火剤の適度な視認を実現することができる。その結果、一般の使用者又は点検者・管理者は、貯蔵されている消火剤の残量や貯蔵状態を直接的に観察できることとなるため、一般の使用者であっても、設置されている消火器の消火剤の状態が正常か否かを判別することが可能となる。
【００２９】
なお、上述の実施形態における消火剤貯蔵容器１０のプリフォームの全光線透過率は、５％以上７５％以下であることが好ましい。また、本実施形態における消火剤貯蔵容器１０のプリフォームの肉厚は、４ｍｍ以上３０ｍｍ以下であることが好ましい。
【００３０】
本実施形態の消火剤貯蔵容器１０のプリフォームの全光線透過率が７５％を越えると、延伸ブロー後の消火剤貯蔵容器１０内に収められている消火剤の壁面への付着が消火器の汚れに見えてしまうことにより、消火器１００が設置される場所の周囲の美観を損なうことになる。他方、前述のプリフォームの全光線透過率が５％未満になると、緊急時に、延伸ブローされた消火剤貯蔵容器１０内の消火剤の残量が確認しづらくなるため実用性が劣ることになる。従って、消火剤貯蔵容器１０のプリフォームについても、前述の範囲の透明性を維持することが、延伸ブロー後の消火剤貯蔵容器１０の実用性と外観上の美観とを調和させることになる。
【００３１】
また、前述のプリフォームを余りに分厚くしても、延伸ブロー後の消火剤貯蔵容器１０の透明性が悪化するという問題が生じる。また、最終的な消火剤貯蔵容器１０の十分な耐圧を確保するために、特に胴部９３の肉厚を０．９ｍｍ以上５ｍｍ以下にすることが好ましい。従って、本実施形態における消火剤貯蔵容器１０のプリフォームの肉厚は、４ｍｍ以上３０ｍｍ以下であることが好ましい。加えて、胴部９３の円周方向の延伸倍率のスカラー量とその円周方向に垂直な方向の延伸倍率のスカラー量との積が６以上１３．７以下とすることが好ましく、１０以上１３以下とすることがさらに好ましい。
【００３２】
次に、本実施形態の消火剤貯蔵容器１０のガスバリアー性の測定が行われた。
【００３３】
表１は、本実施形態において製造された消火器１００における消火剤貯蔵容器１０のガスバリアー性の測定結果である。本実施形態の測定は、図４に示すガス透過量の測定装置８０を用いて行われた。図４に示すように、測定用試料８４（具体的には、消火剤貯蔵容器１０より切り出した試験片）の上流側空間８１ａには測定用ガスのガスボンベ８２が配置され、ガスボンベ８２から送り出された測定用ガスの圧力は、上流側空間８１ａ内において０．３ＭＰａに設定される。この圧力は、連成計８３によって測定される。一方、下流側空間８１ｂは、ロータリーポンプ８８及びターボ分子ポンプ８７によって十分に排気されるため、高真空状態となっている。また、測定試料８４は、ヒーター調整器８５ｂに接続するヒーター８５ａによって２９℃になるように調整される。
【００３４】
上述の測定装置８０の構成を用いて、所定時間内に上流側空間８１ａから下流側空間８１ｂに透過した測定用ガスの量を測定することにより、透過ガス量が測定される。ここで、本実施形態の測定用ガスは、ヘリウムガス（Ｈｅ）である。また、透過ガス量は、レコーダー８６ｂを備えた四重極ガス分析計８６ａを用いて測定される。加えて、この分析計におけるガス測定器は、ＵＬＶＡＣ（アルバック株式会社）製の「ベーシックプロセスガスモニタ  Ｑｕｌｅｅ  ＢＧＭ−１０２Ｒ」である。
【００３５】
【表１】
2010221006.tif 000003
【００３６】
表１に示すとおり、ポリエチレンナフタレート（ＰＥＮ）によって形成された上述の消火剤貯蔵容器１０に含まれるマスターバッチ（顔料（ぺリノン系レッド）とＰＥＮとを混合したもの）の混合率を上げると、ガス透過性が低下した。すなわち、消火剤貯蔵容器１０に含まれる顔料の含有量を増加することにより、いわゆるガスバリアー性が高まっていくことが確認された。その結果、本実施形態の消火器１００によれば、ぺリノン系レッドに基づくマスターバッチの混合率を高めることにより、前述の測定用ガスの透過量を完全に０にするとまではならないまでも、２．３８×１０−７（Ｐａ・ｍ３・ｍｍ／ｃｍ２・ｓ・ＭＰａ）まで低下させることができた。なお、混合率が３０％以下であれば、樹脂としての利点である内容物（消火剤）の視認性を維持しうる。このように、樹脂製の消火剤貯蔵容器１０に顔料としてマスターバッチ（顔料（ぺリノン系レッド）とＰＥＮとを混合したもの）を含有させることは、内容物である消火剤を適度に視認させうる状態にして美観を高めるだけでなく、特に蓄圧式の消火器にとって重要な性能であるガスバリアー性の向上にも寄与しうる。なお、本実施形態は、前述の混合率が３０％を超えることを妨げるものではない。しかし、前述の混合率が３０％を超えると、樹脂の透光性が低下するために、内容物である消火剤を適度に視認することが難しくなる可能性が高まるため、好ましくない。
【００３７】
上述の通り、消火剤貯蔵容器をガスバリアー性が高い樹脂製とすることにより、これまで述べた樹脂の特長を維持しつつ、消火剤貯蔵容器内の圧力低下を抑制することができる。その結果、そのような樹脂製の消火剤貯蔵容器を備えた消火器は、加圧式のみならず蓄圧式の消火器としても実用的に用いることが可能となった。
【００３８】
なお、本実施形態では、測定用ガスがヘリウムガス（Ｈｅ）であったが、測定用ガスはこれに限定されない。例えば、窒素ガス（Ｎ２）のみ、窒素ガス（Ｎ２）とヘリウムガス（Ｈｅ）との混合ガス、又は窒素ガスとヘリウムガス以外の他のガス（例えば、ネオン（Ｎｅ）やアルゴン（Ａｒ））との混合ガスであってもよい。
【００３９】
＜第２の実施形態＞
本実施形態の消火器２００は、消火剤貯蔵容器２０を備える。ここで、消火剤貯蔵容器２０は、第１の実施形態の消火剤貯蔵容器１０に含まれる顔料が、ペリノン系レッドの代わりに酸化チタン（ＴｉＯ２）である点を除き、第１の実施形態の消火器１００と同じ構成を備えている。従って、第１の実施形態と重複する説明は省略されうる。
【００４０】
なお、本実施形態の消火器２００は、顔料として酸化チタン（ＴｉＯ２）を含有するポリエチレンナフタレート（ＰＥＮ）によって形成された消火剤貯蔵容器２０を備えている。具体的には、本実施形態の消火剤貯蔵容器２０は、マスターバッチ（顔料とＰＥＮとを混合したもの）が混合されたポリエチレンナフタレート（ＰＥＮ）で形成されている。なお、本実施形態では、マスターバッチは、ポリエチレンナフタレート（ＰＥＮ）１００部に対して酸化チタン（ＴｉＯ２）０．１３部の割合で混合することにより形成される。また、ポリエチレンナフタレート（ＰＥＮ）に対し、前述のマスターバッチが５％乃至３０％の割合で混合される。また、本実施形態の消火剤貯蔵容器２０は、図１乃至図３に示すように、開口部を除いて、金属製の消火剤貯蔵容器のような継ぎ目が形成されていない。なお、比較例のために、前述のマスターバッチが全く混合されない消火剤貯蔵容器も作製される。
【００４１】
表２は、本実施形態において製造された消火器２００における消火剤貯蔵容器２０のガスバリアー性の測定結果である。ここで、透過量の測定は、前述の消火剤貯蔵容器１０における測定用ガスの透過量の測定方法と同じある。
【００４２】
【表２】
2010221006.tif 000004
【００４３】
表２に示すとおり、ポリエチレンナフタレート（ＰＥＮ）によって形成された上述の実施形態の消火剤貯蔵容器２０に含まれるマスターバッチ（顔料（酸化チタン）とＰＥＮとを混合したもの）の混合率を上げると、ガス透過量が低下した。すなわち、消火剤貯蔵容器２０に含まれる顔料の含有量を上げることにより、いわゆるガスバリアー性が高まっていくことが確認された。その結果、本実施形態の消火器２００によれば、酸化チタンに基づくマスターバッチの混合率を高めることにより、前述の測定用ガスの透過量を完全に０にするとまではならないまでも、３．０９×１０−７（Ｐａ・ｍ３・ｍｍ／ｃｍ２・ｓ・ＭＰａ）まで低下させることができた。なお、混合率が３０％以下であれば、樹脂としての利点である内容物（消火剤）の視認性を維持しうる。このように、樹脂製の消火剤貯蔵容器２０に顔料としてマスターバッチ（顔料（酸化チタン）とＰＥＮとを混合したもの）を含有させることは、内容物である消火剤を適度に視認させうる状態にして美観を高めるだけでなく、特に蓄圧式の消火器にとって重要な性能であるガスバリアー性の向上にも寄与しうる。なお、本実施形態は、前述の混合率が３０％を超えることを妨げるものではない。しかし、前述の混合率が３０％を超えると、樹脂の透光性が低下するために、内容物である消火剤を適度に視認することが難しくなる可能性が高まるため、好ましくない。
【００４４】
上述の通り、消火剤貯蔵容器をガスバリアー性が高い樹脂製とすることにより、これまで述べた樹脂の特長を維持しつつ、消火剤貯蔵容器内の圧力低下を抑制することができる。その結果、そのような樹脂製の消火剤貯蔵容器を備えた消火器は、加圧式のみならず蓄圧式の消火器としても実用的に用いることが可能となった。但し、ガスバリアー性を高める観点から、酸化チタンを顔料として採用するよりも、ペリノン系レッドを顔料として用いる方が好ましい。他方、酸化チタンを顔料として採用すると、消火器としては稀な白色の消火剤貯蔵容器が成形されるため、使用者又は点検者等の注意の惹きやすさという観点から言えば、酸化チタンを顔料として採用することも好ましい一態様である。
【００４５】
＜その他の実施形態＞
上述の各実施形態の消火器の消火剤貯蔵容器に充填される消火剤の種類は特に限定されない。消火剤容器を構成する樹脂への影響がない限り、公知のいかなる消火剤も採用することできる。例えば、粉末消火器としても使用することができる。また、消火剤の充填方法、及びホースやノズルなどの構成部品の材質と形状等については、従来から提案されているものを適宜採用することができる。
【００４６】
また、上述の各実施形態のうち、第１及び第２の実施形態では、マスターバッチが混合された樹脂を用いて消火剤貯蔵容器が形成されている。ここで、その消火剤貯蔵容器の外周表面上に公知の被膜フィルムや公知の顔料を含むフォルムが配置されていてもよい。例えば、消火器の製造メーカー名や消火器の性能を示すための記述や装飾が施されたフィルムは広く一般的に利用されているが、それらの使用は本発明の効果を妨げない。
【００４７】
さらに、上述の各実施形態の効果が損なわれない添加剤であれば、消火剤貯蔵容器を構成する樹脂は、変色の防止や耐候性の向上のために、光安定剤、紫外線吸収剤、老化防止剤などの公知の添加剤が適宜配合され得る。
【００４８】
以上、述べたとおり、各実施形態の他の組合せを含む本発明の範囲内に存在する変形例もまた、特許請求の範囲に含まれるものである。
【産業上の利用可能性】
【００４９】
本発明の消火器は、高い蓄圧性と高いガスバリアー性を備えた樹脂製の消火剤貯蔵容器が採用されているため、消火器産業において極めて有用である。
【符号の説明】
【００５０】
１０，２０        消火剤貯蔵容器
１１              消火剤貯蔵部
１２              雄ネジ部
３０              消火器用ハンドレバー
３１              蓋体
３２              固定レバー
３３              起動レバー
３４              起倒杆
３５              安全栓
４０              消火剤ホース
５０              支持台
６０              消火剤
７０              サイホン管
８０              測定装置
８１ａ            上流側空間
８１ｂ            下流側空間
８２              ガスボンベ
８３              連成計
８４              測定用試料
８５ａ            ヒーター
８５ｂ            ヒーター調整器
８６ａ            四重極ガス分析計
８６ｂ            レコーダー
８７              ターボ分子ポンプ
８８              ロータリーポンプ
９１              口部
９２              肩部
９３              胴部
９４              底部
１００，２００    消火器
【図１】
2010221006.tif 000005
【図２】
2010221006.tif 000006
【図３】
2010221006.tif 000007
【図４】
2010221006.tif 000008